(57)【要約】      （修正有）【課題】簡単で、組立がしやすく、安価で、小型の結合構造の提供。【解決手段】連結アームと側板とを有し、連結アーム９は、電子装置に固定される。この連結アームの側面に係止用フック部９１が設けられている。側板は、液晶表示器モジュールの側面に設置されており、少なくとも一つの開口部８３１を有する。前記係止用フック部をこの開口部に係合させることによって、液晶表示器モジュールを電子装置に結合させる。【選択図】        図３
2004333747.tif 000002
【特許請求の範囲】
【請求項１】
電子装置に用いられる液晶表示器モジュール連結装置であって、
電子装置に固定され、側面に第一係合部を有する連結アームと、
液晶表示器モジュールの側面に設けられ、第二係合部を有する側板と、
を備え、
前記第一係合部を前記第二係合部と係合させることによって、液晶表示器モジュールを電子装置に結合させることを特徴とする液晶表示器モジュール連結装置。
【請求項２】
前記第一係合部はフック部を有し、前記第二係合部は少なくとも一つの開口を有し、連結アームは凹部を有し、前記凹部はフック部と対向するように連結アームに設けられていることを特徴とする請求項１に記載の液晶表示器モジュール連結装置。
【請求項３】
前記第二係合部に第一開口および第二開口が設けられており、液晶表示器モジュールを電子装置に結合させる際に前記フック部は前記第一開口を貫通し、前記フック部の末端部は前記第二開口にかん着し、前記第二開口の大きさは前記フック部の末端部と略同じであり、且つ前記第一開口は前記第二開口より大きいことを特徴とする請求項２に記載の液晶表示器モジュール連結装置。
【請求項４】
液晶表示器を支持する支持体を有し、前記側板は前記支持体の側面を覆うように構成され、前記支持体の側面に凹部が設けられて前記フック部を収容することを特徴とする請求項２に記載の液晶表示器モジュール連結装置。
【請求項５】
前記フック部の形状は「ワ」の字状であることを特徴とする請求項２に記載の液晶表示器モジュール連結装置。
【請求項６】
前記電子装置はノートパソコンであることを特徴とする請求項１に記載の液晶表示器モジュール連結装置。
【請求項７】
前記第一係合部は電子装置の外層を覆う外枠の内側に位置していることを特徴とする請求項１に記載の液晶表示器モジュール連結装置。
【発明の詳細な説明】
【０００１】
【発明の属する技術分野】
本発明は、液晶表示器モジュール連結装置に関し、詳しくは、液晶表示器モジュールを電子装置の内部に固定するための連結装置に関する。
【０００２】
【従来の技術】
電子製品の機能及び性能の向上によって、そして通信ネットの普及に伴って、ノートパソコン等の電子製品の普及が促進されている。今日、この類の電子製品は、一般大衆も使用できるようになった。
【０００３】
従来のノートパソコンを例にとってみよう。一般に、ノートパソコンは、本体と表示ユニットとを有し、表示ユニットの内部に液晶表示器のモジュールが設けられ、本体と表示ユニットとは、回転可能なチョウバンによって互いに連結されている。なお、液晶表示器モジュールを表示ユニットに固定する方式は、従来から様々な設計が提案されている（例えば、特許文献１参照。）。
【０００４】
図１に示すように、ノートパソコンは、本体外枠１と表示ユニット外枠２とを有する。また、図示のように、固定板５はネジ６により本体外枠１に固定されている。そして、ネジ６’は表示ユニット外枠２と連結アーム３ａとを貫通して液晶表示器モジュール４の側板４ａに固定されることで、液晶表示器モジュール４が表示ユニット外枠２に固定される。
【０００５】
また、前記連結アーム３ａは、回転可能なチョウバン３により下側の固定板５に枢接されており、これによりノートパソコン上側の表示ユニットと下側の本体が互いに結合されるようになっている。
【０００６】
【特許文献１】米国特許５，８７２，６０６号明細書
【０００７】
【発明が解決しようとする課題】
しかしながら、前記ネジ６’により液晶表示器モジュール４を固定する方式は、比較的長い組立作業時間と複雑な生産過程を必要とするので、生産コストが低減できない。また、ネジによる組立方式は、製品自体の体積を増加してしまう。そこで、製品寸法を極力縮小する発想で如何にしてより小さな体積の、製造過程が簡単で生産コストが低い液晶表示器モジュール連結装置を設計することが既に重要な課題となっている。
【０００８】
本発明は、従来の液晶表示器モジュール連結方式が抱えている問題に鑑み、組立作業の複雑さを緩和して組立作業時間を減少し生産コストが低減でき製品体積が縮小された液晶表示器モジュール連結装置を提供することを目的としている。
【０００９】
【課題を解決するための手段】
本発明は、電子装置に適用される液晶表示器モジュール連結装置であって、連結アームと側板とを有している。連結アームは、電子装置に固定されている。この連結アームは、係止用フック部と凹部とを有し、係止用フック部は、凹部に対向して連結アームの側面に設置されている。外側筺体は、液晶表示器モジュールの側面に設置されており、少なくとも一つの開口を有する。前記係止用フック部をこの開口に係合させることによって、液晶表示器モジュールを電子装置に結合させる。
【００１０】
前記側板に第一開口および第二開口が形成されている。液晶表示器モジュールを電子装置に結合させるとき、係止用フック部は第一開口を貫通し、係止用フック部の末端部は第二開口にかん着される。また、第二開口は、係止用フック部の末端部と略同じサイズである。
【００１１】
また、側板は、液晶表示器モジュール支持体の側面を覆っており、そして該支持体の側面に係止フック部を収容する溝部が形成されている。更に、好ましくは、支持体は、前記凹部に連結される第三開口および第四開口を有しており、液晶表示器モジュールを電子装置に結合させるとき、係止用フック部が第三開口と溝部と第四開口とを貫通するようになる。
【００１２】
本発明に係る液晶表示器モジュール連結装置は、従来のネジ固定方式に比べて、ネジ等の部品を使用する必要がなくなり、組立作業に必要な時間が減り、製造コストが低減される。また、製品のサイズが縮小されるので、使用時に一層便利となる。
【００１３】
【発明の実施態様】
【実施例１】
まず、図２−１を参照する。この図は、本発明に係る液晶表示器モジュール連結装置を示す説明図である。図示のように、表示ユニット７は、ノートパソコンの表示スクリーンであって、上側外枠７１と下側外枠７２とを有する。液晶表示器モジュール８は、表示ユニット７の内部中央に位置され、液晶表示器フロントパネル８１と、支持体８２と、側板８３とから構成されている。更に、図示のように、液晶表示器フロントパネル８１が支持体８２の中央に設置されており、側板８３は支持体８２の側面を覆っている。
【００１４】
一般に、連結アーム９は、上下側外枠７１及び７２に固着されており、且つ枢軸（図示せず）を介してノートパソコンの本体に枢接されている。このように、表示ユニット７は、前記枢軸を中心に回転可能となり、ノートパソコン本体との間に任意角度が形成されるように傾斜できる。
【００１５】
また、連結アーム９の側面に第一係合部Ａが設けられ、液晶表示器モジュール８の側面に第二係合部Ｂが設けられている。第一係合部Ａを第二係合部Ｂと係合させることによって、液晶表示器モジュール８を表示ユニットの内部に固定的に設置することができる。
【００１６】
次に、図２−２を参照する。この図は、図２−１に示す第一係合部Ａの部分拡大図である。この第一係合部Ａは、連結アーム９の側面に設けられ、且つ凹部９２を有する。また、凹部９２に対向する位置に突出状の係合フック９１が設けられている。この係合フック９１は、「ワ」字状となっており中空の溝部９３を有する。更に、図２−１に示すように、本実施例の連結アーム９の側面にそれぞれ２個ずつの第一係合部Ａが設けられている。
【００１７】
更に図２−３を参照する。図示のように、第二係合部Ｂは、液晶表示器モジュール８の側面に設けられている。側板８３に第一開口８３１及び第二開口８３２が形成されており、第一開口８３１は係合フック９１を受けやすいように第二開口８３２より大きくなっている。
【００１８】
また、図３を参照する。この図は、本発明の実施例１の局部断面図である。図示のように、支持体８２の第一開口８３１及び第二開口８３２に対応する位置に溝部８２１が形成されている。第一開口８３１及び第二開口８３２は、共に溝部８２１に連通している。このように、上述した結合を行う際に連結アーム９のフック部９１を第二係合部Ｂの第一開口８３１及び第二開口８３２に順次貫通させ、且つフック部９１の前端部を第二開口部８３２に係合させることによって、結合作業が完成される。
【００１９】
図３に示すように、結合に際してフック部９１が第一開口８３１と第二開口８３２と支持体８２の溝部８２１とに位置されるようになり、第二開口８３２のサイズがフック部９１の前端に相当している。ここで、フック部９１は湾曲構造を有するので、脱落防止が可能となり、これにより連結アーム９を液晶表示器モジュール８に確実に結合させることができる。
【００２０】
【実施例２】
図２−１に示すように、連結アーム９が上下側外枠７１及び７２に固定されていると共に、枢軸（図示せず）を介してノートパソコンの本体に枢接されている。ここで、表示ユニット７は、前記枢軸を中心に回転可能となり、ノートパソコン本体との間に任意の角度を形成することができる。
【００２１】
更に、図２−２を参照する。この図は、図２−１に示す第一係合部Ａの局部拡大図である。第一係合部Ａは、連結アーム９の側面に設けられ、凹部９２を有している。また、凹部９２に対向する位置に突出状のフック部９１が設けられている。このフック部９１は、「ワ」字状の形を有し、中空の溝部９３を形成している。
【００２２】
次に、図４を参照する。この図は、本発明に係る液晶表示器モジュール連結装置の実施例２を示す局部断面図である。図示のように、側板８３に第一開口８３１及び第二開口８３２が形成されており、第一開口８３１は係合フック９１を受けやすいように第二開口８３２より大きくなっている。なお、実施例１と異なるのは、支持体８２に第三開口８２２及び第四開口８２３が形成されており、それぞれの形成位置は、側板８３の第一開口８３１及び第二開口８３２に対応している。
【００２３】
更に、溝部８２１は支持体８２の内部に設けられ、第三開口８２２および第四開口８２３に連通している。図４に示すように、第一開口８３１、第二開口８３２、第三開口８２２および第四開口８２３は、共に溝部８２１に連通している。このように、連結アーム９のフック部９１を第一開口８３１および第三開口８２２に貫通させると共に、フック部９１の前端を第四開口８２３および第二開口８３２に係合させることによって、結合作業が完成される。
【００２４】
図４に示すように、結合作業に際してフック部９１が支持体８２の溝部８２１内に位置され、第一開口８３１、第二開口８３２、第三開口８２２および第四開口８２３をそれぞれ貫通する。特に、フック部９１の中央に位置する中空溝部９３の部分は、筺体８３の一部および支持体８２を同時にキャッチするので、連結アーム９を液晶表示器モジュール８に確実に結合させることができる。
【００２５】
本発明によれば、連結アーム９を液晶表示器モジュール８に結合させるので、組立完了後の液晶モジュール８が表示ユニット７の内部に安定化されるようになる。従って、従来のネジ固定の結合方式に比較して、本発明の方式は、ネジを使用する必要がなくなり、組立に必要な作業時間が減り、製造コストが低減可能となる。更に、製品のサイズが縮小されるので、使用時の便利さが向上される。
【００２６】
上述したように、本発明によれば、連結アーム９の側面に第一係合部Ａが設けられ、第一係合部に対応するように第二係合部Ｂが液晶表示器モジュール８の側面に設けられている。第一係合部Ａのフック部９１を第二係合部Ｂの開口に係合することによって、連結アーム９を液晶表示器モジュール８に結合することができるので、液晶表示器モジュール８を表示ユニットの外枠内に固定することができる。
【００２７】
更に、第一係合部Ａのフック部９１を上下側外枠７１及び７２の内壁に設けることも可能であり、これにより第一係合部Ａを第二係合部Ｂに係合させる。従って、連結アーム９を設けなくても、フック部の設置によって液晶表示器モジュール８を表示ユニット７内に固定することができる。また、第一係合部Ａに開口を形成し、第二係合部Ｂにフック部を設けることによっても、前述と同様に第二係合部Ｂのフック部を第一係合部Ａの開口に係合させることができ、連結アーム９を液晶表示器モジュール８に結合させることができる。
【００２８】
本発明は、好ましい実施例により以上のように説明されたが、これは、本発明の範囲を限定するためではない。当業者であれば、本発明の精神及び範囲内で本発明を若干変更することが可能である。従って、本発明の保護範囲は、添付の特許請求の範囲によって定めるべきである。
【図面の簡単な説明】
【図１】従来の液晶表示器モジュール連結装置を示す説明図である。
【図２−１】本発明に係る液晶表示器モジュール連結装置を示す説明図である。
【図２−２】本発明の図２−１に示すＡ部分の局部拡大図である。
【図２−３】本発明の図２−１に示すＢ部分の局部拡大図である。
【図３】本発明の実施例１を示す局部断面図である。
【図４】本発明の実施例２を示す局部断面図である。
【符号の説明】
１      本体外枠
２      表示ユニット外枠
３      チョウバン
３ａ    連結アーム
４      液晶表示器モジュール
４ａ    保護板
５      固定板
６      ネジ
６’    ネジ
７      表示ユニット
７１    外枠
７２    外枠
８      液晶表示器モジュール
８１    液晶表示パネル
８２    支持体
８２１  溝部
８２２  第三開口
８２３  第四開口
８３    側板
８３１  第一開口
８３２  第二開口
９      連結アーム
９１    フック部
９２    凹部
９３    溝部
Ａ      第一係合部
Ｂ      第二係合部
【図１】
2004333747.tif 000003
【図２−１】
2004333747.tif 000004
【図２−２】
2004333747.tif 000005
【図２−３】
2004333747.tif 000006
【図３】
2004333747.tif 000007
【図４】
2004333747.tif 000008